(57)【要約】【課題】複数の物理同調器を備えることなく、またコンテンツを取り扱う上での操作が煩雑になることなく、コンテンツの再利用性を緩和させることである。【解決手段】物理同調器に複数の仮想同調器を接続した形態を、もしくは制御システムに複数の仮想制御システムを接続した形態を、ソフトウェアにて構成することを最も主要な特徴とし、仮想同調器それぞれについてのコンテンツを記録するか、あるいは仮想同調器個数分のコンテンツを多重化して記録することにより、物理同調器個数以上のコンテンツを取り扱うことが可能となる。【選択図】図１
2014207043.tif 000002
【特許請求の範囲】
【請求項１】
不特定多数のディジタルコンテンツを記録・編集・複写するシステムにおいて、物理同調器を具備し利用者が所望するディジタルコンテンツを抽出し、複数の仮想同調器と仮想信号多重化器を具備することにより、単一のディジタルコンテンツを複数のディジタルコンテンツとして扱うことを特徴とするディジタルコンテンツ記録方式。
【請求項２】
請求項１のディジタルコンテンツ記録方式を具備することを特徴とするディジタルコンテンツ記録システム。
【請求項３】
請求項１のディジタルコンテンツは、記録装置上には単一のコンテンツとして記録されていても、利用者が編集・複写するときには別々のコンテンツとして取り扱うことができることを特徴とするディジタルコンテンツ記録方式。
【請求項４】
請求項３のディジタルコンテンツ記録方式を具備することを特徴とするディジタルコンテンツ記録システム。
【発明の詳細な説明】
【技術分野】
【０００１】
本発明は、放送及び通信と言った、不特定多数のコンテンツ閲覧者に向けて配信されるディジタルコンテンツを記録・複写・保存する装置に関わるものである。
【背景技術】
【０００２】
テレビジョン放送の完全ディジタル化により、テレビジョン放送のコンテンツを記録する装置として、ＢＤレコーダーやＤＶＤレコーダー、もしくはＢＤ／ＤＶＤ／ＨＤＤ内蔵テレビジョン等の製品が広く利用されている。
【０００３】
しかし、放送されるコンテンツに付与された著作権保護機構により、コンテンツの利用者が個人的に利用する場合においても、コンテンツの編集が自由に行うことが出来なかったり、再利用が困難であると言う不便性が問題になっている。
【０００４】
上述のディジタルコンテンツ記録装置の中には、複数の物理同調器（物理チューナー）を備え、複数のコンテンツを同時に記録可能な製品も多い。但しこの機能は、本来異なるコンテンツを記録するためのもので、同一コンテンツを複数回記録し、コンテンツの利用に関する便宜を図るためのものではない。
【０００５】
この方式を拡張して、物理同調器を多数個備えることで、コンテンツの利用に関する制限を緩和することも出来るが、コストが増大したり、コンテンツを取り扱う上で操作が煩雑になったりする問題がある。
【先行技術文献】
【特許文献】
【０００６】
【特許文献１】特開２００５−３２７３２４
【発明の概要】
【発明が解決しようとする課題】
【０００７】
解決しようとする課題は、複数の物理同調器を備えることなく、またコンテンツを取り扱う上での操作が煩雑になることなく、コンテンツの再利用性を緩和させることである。
【課題を解決するための手段】
【０００８】
本発明は、物理同調器に複数の仮想同調器を接続した形態を、もしくは制御システムに複数の仮想制御システムを接続した形態を、ソフトウェアにて構成することを最も主要な特徴とする。
【発明の効果】
【０００９】
本発明は、仮想同調器それぞれについてのコンテンツを記録するか、あるいは仮想同調器個数分のコンテンツを多重化して記録することにより、物理同調器個数以上のコンテンツを取り扱うことが可能となる。
【図面の簡単な説明】
【００１０】
【図１】ディジタルコンテンツ記録システムの実施方法を示した説明図である。（実施例１）
【発明を実施するための形態】
【００１１】
仮想同調器、仮想信号多重化器と言ったシステム用件を、ソフトウェアにより実装するため、特別な部品等を追加することなく、安価に実現することを特徴とする。
【実施例１】
【００１２】
図１は本発明システムの構成例であり、（１）入力信号
を（２）物理同調器 によって記録したい信号（コンテンツ）を取り出す。これを（３）仮想同調器
により複数の同一の信号に分割する。更に（４）仮想信号多重化器
及び（５）物理複合器 によってコンテンツ内容を多重化してデータ容量を削減する。これを（６）外部記録装置
にコンテンツとして記録する。コンテンツを編集するときは、（７）データ変換器
及び（８）編集器 を通して編集を行う。またコンテンツを再生するときは、（７）データ変換器
及び（９）再生器 を通して再生を行う。こうして最終的に（１０）出力信号
を得る。以上の各構成要素は（１１）コントローラ
とそれに内蔵されたソフトウェアによって行われる。
【００１３】
以上の具体例を記すと、（１）入力信号
は、テレビ及びラジオの類の放送信号、あるいはインターネットからの情報、あるいはアナログデータをディジタルデータへ読取装置（画像信号、音声信号などの種類を問わない）が挙げられる。
【００１４】
（２）物理同調器
は、（１）入力信号 から、利用者が記録したいディジタルコンテンツを選り分ける為の装置であり、（１）入力信号
の形態を問わず、ディジタルデータへ変換する機能を具備する。なお本実施例では物理同調器は１個のみ具備するが、ハードウェア資源が許す限り複数個を具備することができる。
【００１５】
（３）仮想同調器 は、（２）物理同調器
により選り分けられたディジタルコンテンツを、利用者の希望数に応じて複数の同一のコンテンツに分割する機能を具備する。また仮想同調器は物理同調器を制御するためのドライバプログラムと結合するソフトウェアにて実装される。なお本実施例では仮想同調器は４個具備するが、ソフトウェア上は変数の配列データ、及びドライバプログラムとして実装されるため、ソフトウェア資源が許す限りの個数を具備することが可能である。
【００１６】
（４）仮想信号多重化器
は、（３）仮想同調器
によって分割されたコンテンツを、コンテンツの多重度で定義される数値にて表現し、記録されるコンテンツの量を削減する機能を具備する。具体的には、（６）外部記録装置
へ保存されるコンテンツファイルへ多重度の情報を埋め込むことで実現される。
【００１７】
（５）物理複合器
は、（４）仮想信号多重化器
によって多重化されたディジタルコンテンツデータを、効率よく再圧縮する機能を具備する。これにより、（６）外部記録装置の利用効率を向上させることが可能となる。
【００１８】
（６）外部記録装置
は、一連のディジタルコンテンツを一時保存するための装置であり、ＨＤＤ（ハードディクスドライブ）、ＳＳＤ（ソリッドステートディスク）、フラッシュメモリ等で構成されることを想定している。
【００１９】
（７）データ変換器
は、（５）物理複合器
にて再圧縮されたデータを複合する機能と、ディジタルコンテンツの再生・編集と言った利用者が執り行う動作に応じたディジタルデータを再構成する機能を具備する。
【００２０】
（８）編集器
は、利用者が（６）外部記録装置に保存されたディジタルコンテンツを切り取り・接合・圧縮形式変換・複写等の編集操作を具備する装置である。
【００２１】
（９）再生器
は、（６）外部記録装置に保存されたディジタルコンテンツを再生する際に、元のディジタルコンテンツデータへ変換する機能を具備する。
【００２２】
以上のようなシステム構成により、単一の物理ディジタルコンテンツを複数個として取り扱うことができるため、現状のシステムよりも編集・複写と言った再利用操作が自由にできるようになる。
【産業上の利用可能性】
【００２３】
ディジタル放送の録画機器、例えばブルーレイレコーダーやＤＶＤレコーダー等の用途以外にも、ディジタルコンテンツを取り扱うディジタル複合器やディジタルカメラ、ディジタルラジオ、携帯電話、スマートフォン等の製品や、ＰＣ・タブレット端末のアプリケーションソフトウェアにも応用することが可能である。
【符号の説明】
【００２４】
（１）入力信号
（２）物理同調器
（３）仮想同調器
（４）仮想信号多重化器
（５）物理複合器
（６）外部記録装置
（７）データ変換器
（８）編集器
（９）再生器
（１０）出力信号
（１１）コントローラ
【図１】
2014207043.tif 000003
【手続補正書】
【提出日】平成26年8月14日(2014.8.14)
【手続補正１】
【補正対象書類名】明細書
【補正対象項目名】０００６
【補正方法】変更
【補正の内容】
【０００６】
【特許文献１】特開２００８−３１０８６９
【特許文献２】特開２００８−２３４７１１
【特許文献３】特開２０１０−１６１４３４
【手続補正２】
【補正対象書類名】特許請求の範囲
【補正対象項目名】請求項１
【補正方法】変更
【補正の内容】
【請求項１】
不特定多数のディジタルコンテンツを記録・編集・複写するシステムにおいて、物理同調器を具備し利用者が所望するディジタルコンテンツを抽出し、内蔵ソフトェアによって実現される、複数の仮想同調器と仮想信号多重化器を具備するものの、価格上昇を伴うことなく、単一のディジタルコンテンツを複数ないしは事実上無制限数の同一、もしくは異なるディジタルコンテンツとして扱うことを特徴とするディジタルコンテンツ記録方式。 
【手続補正３】
【補正対象書類名】特許請求の範囲
【補正対象項目名】請求項３
【補正方法】変更
【補正の内容】
【請求項３】
請求項１のディジタルコンテンツは、記録装置上には単一もしくは事実上無制限数までの複数ののコンテンツとして記録され、利用者が編集・複写するときにはそれらのコンテンツを異なる個別のコンテンツとして取り扱うことができることを特徴とするディジタルコンテンツ記録方式。